【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
シート側部に設けられるサイドフレームと、
前記サイドフレームの側面に設けられ、上下方向に離間し、前後方向に延在する複数の補強部と、
前記サイドフレームの側面に設けられ、上下方向に延在する上下補強部と、を有し、
前記上下補強部は、前記複数の補強部を連結しており、
エアバッグを格納するエアバッグモジュールが、上下方向に離間した前記複数の補強部をまたぐ高さ位置において前記サイドフレームに取り付けられており、
前記エアバッグモジュールは、前記複数の補強部及び前記上下補強部に対向しており、
前記サイドフレームは、前記エアバッグモジュールの展開方向を案内する案内部材を取り付けて保持する保持部をさらに有し、
前記保持部は、前記上下補強部と前後方向において重なる位置に設けられることを特徴とする車両用シート。
【請求項２】
前記複数の補強部は、それぞれ異なる方向に延在することを特徴とする請求項１記載の車両用シート。
【請求項３】
前方と後方とにおいて、前記複数の補強部の間の距離が異なることを特徴とする請求項１又は２記載の車両用シート。
【請求項４】
前記上下補強部と、前記複数の補強部は連続していることを特徴とする請求項１に記載の車両用シート。
【請求項５】
前記複数の補強部は、前記上下補強部を介して連続していることを特徴とする請求項１に記載の車両用シート。
【請求項６】
前記補強部は、シート内側に突出していることを特徴とする請求項１に記載の車両用シート。
【請求項７】
前記上下補強部は、前記サイドフレームの前記側面の後端に設けられ、
前記補強部は、前記サイドフレームの前記側面の前記後端から前端まで延在していることを特徴とする請求項４に記載の車両用シート。
【請求項８】
複数の前記保持部を有し、
前記補強部は、前記複数の前記保持部の間に設けられることを特徴とする請求項１に記載の車両用シート。
【請求項９】
シート側部に設けられるサイドフレームと、
前記サイドフレームの側面に設けられ、上下方向に離間し、前後方向に延在する複数の補強部と、
前記サイドフレームの側面に設けられ、上下方向に延在する上下補強部と、を有し、
前記上下補強部は、前記複数の補強部を連結しており、
エアバッグを格納するエアバッグモジュールが、上下方向に離間した前記複数の補強部をまたぐ高さ位置において前記サイドフレームに取り付けられており、
前記エアバッグモジュールは、前記複数の補強部及び前記上下補強部に対向しており、
前記サイドフレームは、前記エアバッグモジュールの展開方向を案内する案内部材を取り付けて保持する保持部をさらに有し、
前記保持部は、前記複数の補強部の少なくとも一部と前後方向で重なる位置に設けられることを特徴とする車両用シート。
【手続補正２】
【補正対象書類名】明細書
【補正対象項目名】発明の名称
【補正方法】変更
【補正の内容】
【発明の名称】車両用シート
【手続補正３】
【補正対象書類名】明細書
【補正対象項目名】０００１
【補正方法】変更
【補正の内容】
【０００１】
本発明は、車両用シートに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、シート側部に設けられるサイドフレームと、前記サイドフレームの側面に設けられ、上下方向に離間し、前後方向に延在する複数の補強部と、前記サイドフレームの側面に設けられ、上下方向に延在する上下補強部と、を有し、前記上下補強部は、前記複数の補強部を連結しており、エアバッグを格納するエアバッグモジュールが、上下方向に離間した前記複数の補強部をまたぐ高さ位置において前記サイドフレームに取り付けられており、前記エアバッグモジュールは、前記複数の補強部及び前記上下補強部に対向しており、前記サイドフレームは、前記エアバッグモジュールの展開方向を案内する案内部材を取り付けて保持する保持部をさらに有し、前記保持部は、前記上下補強部と前後方向において重なる位置に設けられることを特徴とする車両用シートである。
上記車両用シートにおいて、前記複数の補強部は、それぞれ異なる方向に延在すると好適である。
上記車両用シートにおいて、前方と後方とにおいて、前記複数の補強部の間の距離が異なると好適である。
上記車両用シートにおいて、前記上下補強部と、前記複数の補強部は連続していると好適である。
上記車両用シートにおいて、前記複数の補強部は、前記上下補強部を介して連続していると好適である。
上記車両用シートにおいて、前記補強部は、シート内側に突出していると好適である。
上記車両用シートにおいて、前記上下補強部は、前記サイドフレームの前記側面の後端に設けられ、前記補強部は、前記サイドフレームの前記側面の前記後端から前端まで延在していると好適である。
上記車両用シートにおいて、複数の前記保持部を有し、前記補強部は、前記複数の前記保持部の間に設けられると好適である。
本発明は、シート側部に設けられるサイドフレームと、前記サイドフレームの側面に設けられ、上下方向に離間し、前後方向に延在する複数の補強部と、前記サイドフレームの側面に設けられ、上下方向に延在する上下補強部と、を有し、前記上下補強部は、前記複数の補強部を連結しており、エアバッグを格納するエアバッグモジュールが、上下方向に離間した前記複数の補強部をまたぐ高さ位置において前記サイドフレームに取り付けられており、前記エアバッグモジュールは、前記複数の補強部及び前記上下補強部に対向しており、前記サイドフレームは、前記エアバッグモジュールの展開方向を案内する案内部材を取り付けて保持する保持部をさらに有し、前記保持部は、前記複数の補強部の少なくとも一部と前後方向で重なる位置に設けられることを特徴とする車両用シートである。
エアバッグモジュール装備シートは、エアバッグを格納するエアバッグモジュールを装備したシートであって、該シートの骨格を形成するシートフレームと、該シートフレームに取り付けられる前記エアバッグモジュールと、前記シートのカバー部材に取付けられ、前記エアバッグモジュールの展開方向を案内する案内部材と、を備え、前記シートフレームは、前記案内部材を保持する保持部を、前記シートフレームに一体形成して備える。
【手続補正６】
【補正対象書類名】明細書
【補正対象項目名】０００９
【補正方法】変更
【補正の内容】
【０００９】
このとき、前記保持部は、該保持部に保持される前記案内部材の移動を規制する規制部を備えていると好適である。
このように構成しているため、案内部材が保持部から外れることを抑制でき、案内部材によるエアバッグ展開時のエアバッグ展開方向の案内を、より安定させることができる。
【手続補正７】
【補正対象書類名】明細書
【補正対象項目名】００１０
【補正方法】変更
【補正の内容】
【００１０】
このとき、前記保持部は、前記シートフレームの端部が曲がったフランジ部に設けられていると好適である。
このように、保持部を剛性の高いフランジ部に設けるため、案内部材の取付剛性が向上する。
【手続補正８】
【補正対象書類名】明細書
【補正対象項目名】００１１
【補正方法】変更
【補正の内容】
【００１１】
このとき、前記シートフレームは、板部と、該板部の端部が曲がった前記フランジ部とを備え、前記シートフレームの前記フランジ部の端部には、該フランジ部の端部から折れ曲がって前記板部に対向する面を形成する板部対向部と、該板部対向部から更に前記板部に向かって折れ曲がった第一の返し部と、が設けられ、前記規制部は、前記第一の返し部からなり、前記保持部は、前記フランジ部と、前記板部対向部と、前記第一の返し部とに囲まれた領域からなると好適である。
このように構成しているため、単純な構成で、案内部材をシートフレーム側に直接取付けるための取付部を実現することができる。
【手続補正９】
【補正対象書類名】明細書
【補正対象項目名】００１２
【補正方法】変更
【補正の内容】
【００１２】
このとき、前記シートフレームは、板部と、該板部の端部が曲がった前記フランジ部とを備え、前記シートフレームの前記フランジ部の端部には、該フランジ部の端部から折れ曲がって前記板部に対向する面を形成する板部対向部と、該板部対向部から更に前記板部に向かって折れ曲がった第一の返し部と、該第一の返し部から更に前記板部対向部に対向し、該板部対向部と前記板部との間に設けられる第二の返し部と、が設けられ、前記規制部は、前記第二の返し部からなり、前記保持部は、前記板部対向部と、前記第一の返し部と、前記第二の返し部と、に囲まれた領域からなると好適である。
このように構成しているため、単純な構成で、案内部材をシートフレーム側に直接取付けるための取付部を実現することができる。
【手続補正１０】
【補正対象書類名】明細書
【補正対象項目名】００１３
【補正方法】変更
【補正の内容】
【００１３】
このとき、前記フランジ部は、前記シートフレームの水平方向の端部に沿って、上下方向に延びるように設けられ、前記保持部は、前記フランジ部の上下方向の一部に設けられ、前記保持部の上方の端部は、上方に向かって開口し、前記保持部の前記上方の端部よりも上方で、前記上方の端部に隣接する位置には、前記規制部が形成されていないと好適である。
このように構成しているため、案内部材を、保持部の上方からスライドすることにより保持部に取付けることができる。従って、エアバッグモジュール展開時に案内部材に掛かる力の方向と、案内部材を取付ける方向とが、角度をもつため、エアバッグモジュール展開時に案内部材に力が掛かっても、案内部材の取付口から案内部材が外れることを抑制でき、支持剛性を向上できる。
【手続補正１１】
【補正対象書類名】明細書
【補正対象項目名】００１４
【補正方法】変更
【補正の内容】
【００１４】
このとき、前記保持部を構成する壁部には、繊維強化材料を含む材料が用いられ、前記繊維強化材料の繊維方向が、前記エアバッグモジュールの展開時に前記保持部が前記案内部材により牽引される方向に沿っていると好適である。
このように構成しているため、エアバッグモジュール展開時に案内部材を牽引する力がかかったときに、保持部が変形することを抑制できる。
【手続補正１２】
【補正対象書類名】明細書
【補正対象項目名】００１５
【補正方法】変更
【補正の内容】
【００１５】
このとき、前記側板と前記フランジ部とが連続する部分には、隅肉部が形成され、前記保持部の前記隅肉部は、前記保持部以外の箇所の前記隅肉部よりも厚肉の厚肉部として形成されていると好適である。
このように構成しているため、エアバッグモジュール展開時に案内部材を牽引する力がかかったときに、保持部が変形することを抑制できる。
【手続補正１３】
【補正対象書類名】明細書
【補正対象項目名】００１６
【補正方法】変更
【補正の内容】
【００１６】
このとき、前記厚肉部は、前記保持部の上下方向に亘って形成され、前記板部及び前記フランジ部に対して傾斜していると好適である。
このように構成しているため、厚肉部による支持剛性をより高めることができる。
【手続補正１４】
【補正対象書類名】明細書
【補正対象項目名】００１７
【補正方法】変更
【補正の内容】
【００１７】
このとき、前記案内部材の端部には、該端部の形状を保持する端末形状保持部材が固定され、前記規制部は、前記端末形状保持部材を被覆するように延びていると好適である。
このように、端末形状保持部材を備えることと、組付け時に規制部が端末形状保持部材を被覆することにより、案内部材の支持剛性を向上できる。
【手続補正１５】
【補正対象書類名】明細書
【補正対象項目名】００１８
【補正方法】変更
【補正の内容】
【００１８】
このとき、前記保持部の下方の端部には、該端部を塞ぐ壁が形成されていると好適である。
このように構成しているため、案内部材が、保持部の下方から脱落することを抑制できる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】